(57)【特許請求の範囲】
【請求項１】
リールからの釣糸を竿体内部に挿通させることが可能な振出式の中通し竿であって、釣糸が挿通する釣糸挿通通路を内部に有する内部竿体と、前記内部竿体を内部に収納可能な外部竿体とを備え、
前記外部竿体は、外周面に形成され前記リールからの釣糸を前記釣糸挿通通路に導入するための釣糸導入孔と、竿元側端部に設けられた孔部と、前記孔部に設けられ、前記外部竿体内に収納された内部竿体の竿元方向への移動を抑止する抑止部材と、竿元側端部に取り外し可能に設けられた尻栓部とを有しており、
前記抑止部材は、弾力性を有する部材からなり、前記孔部から前記外部竿体内部に突出し前記外部竿体内に収納された内部竿体の竿元側端面に当接して前記内部竿体の竿元方向への移動を抑止するとともに、前記内部竿体が前記尻栓部から抜き出し可能なように、前記内部竿体から外周方向に力を受けると前記孔から前記外部竿体の周方向に浮き上がり可能となっている突出部と、前記突出部と一体成形され前記外部竿体外周面に固定される固定部とを有している、
中通し竿。
【請求項２】
前記突出部の先端に弾性部材をさらに備えた、請求項１に記載の中通し竿。
【発明の詳細な説明】
【０００１】
【発明の属する技術分野】
本発明は、中通し竿、特に、振出形式で連結され内部に釣糸を挿通可能な中通し竿に関する。
【０００２】
【従来の技術】
従来の振出式の中通し竿は、内部に釣糸挿通通路を有する内部竿体と、内部竿体の竿元側に連結され内部竿体を収納可能な外部竿体とを備えている。そして、外部竿体の外周面には、釣糸挿通通路と竿体の外部とを連通させる釣糸導入孔が設けられている。
【０００３】
このような中通し竿では、使用時には、内部竿体を外部竿体より引き出して固定して１本の竿体として使用する。そして、外部竿体の外周面に設けられたリールからの釣糸は、釣糸導入孔を通じて竿体内部の釣糸挿通通路に導入され、竿体の穂先側先端に設けられたトップガイドから外部に導出される。
また、竿収納時には、内部竿体を外部竿体内に収納してコンパクトな状態にすることができる。そして、内部竿体を外部竿体の竿尻側端部まで挿入して収納すると、糸導入孔から導入された釣糸は、外部竿体の竿尻側端部にまで挿入された内部竿体の竿尻側端部まで一旦導かれ、そこで折り返されて内部竿体内を穂先側へ導かれる。
【０００４】
【発明が解決しようとする課題】
従来の中通し竿では、内部竿体を外部竿体の竿尻側端部にまで収納すると、内部竿体の竿尻側端面と外部竿体の竿尻との間に釣糸を踏みこんで、釣糸と竿体とが互いに傷付け合う場合がある。
このような問題を解決するために、「首吊り機構」と呼ばれるものや「クッション機構」と呼ばれるものが提案されている。
【０００５】
前者は、外部竿体の穂先側端部に別部材を設けて、内部竿体が外部竿体の竿尻側端部にまで挿入されないようにして、内部竿体の竿尻側端面と外部竿体の竿尻との間に隙間を確保するものである。一方、後者は、外部竿体の竿尻側端部の内側に、内部竿体と当接するクッションを設けて、内部竿体の竿尻側端面と外部竿体の竿尻との間に隙間を確保するものである。
【０００６】
しかしながら、上述の「首吊り機構」や「クッション機構」を設けるためには、製造工程が複雑になりコストの上昇を招く。
本発明の課題は、簡易な構造で内部竿体と外部竿体とが糸を挟み込むのを防止できる振出式の中通し竿を提供することにある。
【０００７】
【課題を解決するための手段】
発明１に係る中通し竿は、リールからの釣糸を竿体内部に挿通させることが可能な振出式の中通し竿であって、釣糸が挿通する釣糸挿通通路を内部に有する内部竿体と、前記内部竿体を内部に収納可能な外部竿体とを備え、前記外部竿体は、外周面に形成され前記リールからの釣糸を前記釣糸挿通通路に導入するための釣糸導入孔と、竿元側端部に設けられた孔部と、前記孔部に設けられ、前記外部竿体内に収納された内部竿体の竿元方向への移動を抑止する抑止部材と、竿元側端部に取り外し可能に設けられた尻栓部とを有しており、前記抑止部材は、弾力性を有する部材からなり、前記孔部から前記外部竿体内部に突出し前記外部竿体内に収納された内部竿体の竿元側端面に当接して前記内部竿体の竿元方向への移動を抑止するとともに、前記内部竿体が前記尻栓部から抜き出し可能なように、前記内部竿体から外周方向に力を受けると前記孔から前記外部竿体の周方向に浮き上がり可能となっている突出部と、前記突出部と一体成形され前記外部竿体外周面に固定される固定部とを有している。
【０００８】
この場合には、外部竿体内に内部竿体を挿入すると、孔部に設けられた抑止部材が内部竿体の抑止部材より竿元方向への移動を抑止する。そして、内部竿体の竿元側端面が外部竿体の竿尻側端部に衝突するのを抑え、内部竿体と外部竿体との間に釣糸を挟み込むのを防ぐ。この結果、釣糸と竿体とが互いに傷付け合うことを防止できる。
【０００９】
また、抑止部材は、孔部から外部竿体内部に突出し外部竿体内に収納された内部竿体の竿元側端面に当接して内部竿体の竿元方向への移動を抑止する突出部と、突出部と一体成形され外部竿体外周面に固定される固定部とを有している。この場合には、突出部が外部竿体内に収納された内部竿体の竿元側端面に当接して内部竿体の竿尻方向への移動を抑え、内部竿体と外部竿体との間に釣糸を挟み込むのを防ぐ。また、突出部を孔部から挿入し固定部を外部竿体外周面に固定すれば抑止部材を設けられるので、簡易に製造できコストの上昇を抑えられる。
【００１０】
さらに、外部竿体は竿元側端部に取り外し可能な尻栓部をさらに備え、抑止部材は弾力性を有する部材であり、突出部は、内部竿体が前記尻栓部から抜き出し可能なように、内部竿体から外周方向に力を受けると孔から外部竿体の周方向に浮き上がり可能となっている。この場合には、尻栓部を取り外した後、内部竿体を竿尻方向に強く押し出すと抑止部材の突出部に軸方向のみでなく外周方向への力が加わる。ここで、抑止部材は弾力性を有しており外部竿体の周方向に浮き上がるので、内部竿体の竿尻方向への移動が可能となり、内部竿体を尻栓部から抜き出せるようになる。
【００１１】
発明２に係る中通し竿は、発明１の中通し竿であって、突出部の先端に弾性部材をさらに備えている。この場合には、内部竿体を外部竿体から取り出す際に、突出部の先端に設けられた弾性部材が内部竿体の外周面を傷付けるのを防ぐ。
【００１２】
【実施の形態】
［第１実施形態］
以下、本発明の第１実施形態について、図面を参照しつつ説明する。
図１に示すように、本発明の第１実施形態を採用した中通し竿１０は、外部竿体１と、外部竿体１の穂先側に外部竿体１内に挿入され収納可能なように連結された内部竿体２とを有している。
【００１３】
外部竿体１は、竿尻側端部に設けられた尻栓部３と、尻栓部３よりやや穂先側の外周面に設けられリール５が装着されるリールシート４と、リールシート４の穂先側の外周面に設けられリール５からの釣糸Ｌを竿体内部に挿入する釣糸導入孔６と、竿尻部３の穂先側の外周面に設けられた孔８（図２参照）とを有している。そして、後に詳しく説明するように、孔８には内部竿体２の竿尻方向への移動を抑止する抑止手段３０が設けられている。また、内部竿体２は、複数の竿体２１，２２，２３を有しており、複数の竿体２１，２２，２３は振出式に連結され穂先側から順次挿入して収納可能になっており、穂先側先端にはトップガイド７が設けられている。そして、リール５から導かれた釣糸Ｌは、釣糸導入孔６から外部竿体１及び内部竿体２内に導入され、トップガイド７から外部へ導かれる。
【００１４】
竿尻部３は、図２に示すように、外部竿体１の竿尻の外周面に堅く嵌め込まれた環状取付部１１と、環状取付部１１の竿尻側端部に脱着可能に取り付けられたキャップ部１２と、キャップ部１２の外周面を覆うように設けられたゴム製のカバー部１３とを有している。この環状取付部１１の竿尻側端部には雄ネジ部１１ａが設けられている。また、キャップ部１２の内周面には雄ネジ部１１ａに螺合するように雌ネジ部１２ａが形成されている。そして、この雄ネジ部１１ａにキャップ部１２が螺合され脱着可能に固定されている。
【００１５】
抑止手段３０は、図２に示すように、金属製の抑止部材３１と、抑止部材３１を外部竿体１の外周面に固定する強化糸３２とを有している。抑止部材３１は、変形Ｕ字型部材であり、Ｕ字型の突出部３１ａと、外部竿体１の外周面に沿うように突出部３１ａの両端部を折り曲げて形成した固定部３１ｂとを有している。そして、突出部３１ａを孔８から外部竿体１内に突出させ固定部３１ｂを外部竿体１の外周面に当接させた状態で固定部３１ｂの外周から強化糸３２を巻回して、抑止部材３１は外部竿体１に固定されている。なお、突出部３１ａは外部竿体１の内周半径の半分〜内周半径程度突出するのが好ましい。外部竿体１の内周半径以上突出すると、突出部３１ａと内部竿体２とで釣糸Ｌを挟み込む恐れがある。また、外部竿体１の内周半径の半分より短いと、内部竿体１の竿尻方向への移動を十分に抑止できない場合があるからである。
【００１６】
このように構成された中通し竿１０では、内部竿体２を外部竿体１内に挿入し収納すると、抑止手段３０が内部竿体２の竿尻側端部に当たって抑止手段３０より竿尻側に内部竿体１が挿入されるのを抑える。そして、内部竿体２と外部竿体１とで釣糸Ｌを挟み込んでしまうのを防止する。また、抑止手段３０は内部竿体１の竿尻側端面全体に当たらないように形成されており、抑止手段３０と内部竿体２とで釣糸Ｌを挟み込むこともない。
【００１７】
以上のように、本発明の第１実施形態を採用した中通し竿では、抑止手段３０が設けられているので、釣糸Ｌを踏み挟み込んで傷付けてしまうのを防止できる。また、外部竿体１に設けた孔８から部材を挿入するだけで抑止手段３０を設けられるので、製造が容易であり製造コストが抑えられる。
［第２実施形態］
以下、本発明の第２実施形態について説明する。
【００１８】
本発明の第２実施形態を採用した中通し竿の抑止手段５０は、図３（ａ）に示すように、抑止部材５１と抑止部材５１を外部竿体１の外周面に固定する強化糸５２とを有している。そして抑止部材５１は、Ｕ字型の突出部５１ａと、外部竿体１の外周面に沿うように突出部５１ａの両端部を折り曲げて形成した固定部３１ｂと、突出部５１ａの先端に接着されたゴム部材５１ｃとを有している。この抑止部材５１は、超弾性を有する金属（例えば、チタン−ニッケル合金などを例示できる）からなる部材であって、大きな力を受けるとその弾性力により変形し、力が解放されると元の形状に戻る。
【００１９】
なお、その他の構成は第１実施形態と同様であり、説明を省略する。
このように構成された中通し竿では、内部竿体２を外部竿体１から取り外す場合、まず、竿尻部３のキャップ部１２をはずして、内部竿体２を穂先側から竿尻側に強く押し込む。すると、図３（ｂ）に示すように、突出部５１ａは内部竿体２から外周方向（孔８方向）に力を受けて変形して浮き上がり、内部竿体２は竿尻方向への移動が可能になり、外部竿体１から取り外せる。
【００２０】
なお、突出部５１ａの先端には、ゴム部材５１ｃが設けられており、内部竿体２を取り外す際に抑止手段５０が内部竿体２の外周面に接触して傷付けるのを抑える。また、その他、第１実施形態と同様の作用効果を奏する。
［他の実施形態］
（ａ）抑止手段は、ゴム製部材を用いてもよい。
（ｂ）リング状の金属部材またはゴム製部材を用いて抑止部材を固定してもよい。
【００２１】
【発明の効果】
本発明に係る中通し竿では、外部竿体の竿尻側端部に抑止部材が設けられており、外部竿体内に挿入した内部竿体の竿尻方向への移動を抑止するので、内部竿体と外部竿体とで釣糸を挟み込んでしまうのを抑え、釣糸と竿体とが互いに傷付け合うのを防止できる。
【図面の簡単な説明】
【図１】本発明の第１実施形態を採用した中通し竿の全体図。
【図２】図１の内部竿体付近の拡大断面図。
【図３】本発明の第２実施形態を採用した中通し竿の外部竿体の通常時（ａ）と内部竿体取外し時（ｂ）の拡大断面図。
【符号の説明】
１  外部竿体
２  内部竿体
６  釣糸導入孔
８  孔
３０，５０  抑止手段
３１，５１  抑止部材
３２，５２  強化糸
３１ａ，５１ａ  突出部
３１ｂ，５１ｂ  固定部
５１ｃ  ゴム部材
【図１】
0003879948.tif 000002
【図２】
0003879948.tif 000003
【図３】
0003879948.tif 000004